(57)【特許請求の範囲】
【請求項１】
先端に制御筒を有する軸筒と、
軸筒内に前進、後退可能に設けられ後方に付勢された中本体と、
後方に付勢された状態で中本体内に設けられ先端にチャック及び該チャックを開閉するクラッチを有する芯タンクと、
中本体の前端に設けられ芯を仮保持するブレーカー及び後退したとき上記クラッチに当接する段部を有する内テーパーと、
上記制御筒内に前進、後退可能に設けられ、後退した際閉鎖するよう開閉可能な障壁部を先端に有するシャッターと、
上記中本体を前進、後退させるカム機構を具備し、
上記カム機構は芯タンクが中本体とともに後退するとき所定位置で芯タンクの移動を阻止するよう芯タンクが当接する後退阻止部を有し、
上記中本体には内テーパーの先端が制御筒内に後退したとき上記シャッターを後退させるようシャッターに係合する係合部が形成され、
上記シャッターの障壁部が閉鎖した後、内テーパー及び中本体が移動することにより該障壁部に接するまで芯を繰り出し、中本体が前進するときシャッターを前進して障壁部を開放し芯の先端を制御筒から突出させるようにしたことを特徴とする定量繰出式筆記具。
【請求項２】
上記カム機構は、軸筒内に設けられた固定カムと、該固定カム内に挿入され回転不能状態で前進、後退可能なノックカムと、上記中本体に連絡し外周に回転子爪を有する回転可能な回転子を具備し、上記固定カムは回転子を前進位置に保持するよう該回転子爪が係止する固定カム筆記位置部を前端に有しかつ回転子が後退するとき上記回転子爪が入り込む長溝と該長溝の底部に形成された固定カム底部を有し、上記ノックカムは前進するとき上記固定カム筆記位置部に係止された回転子爪に当接して該回転子爪を固定カム筆記位置部から固定カムの長溝内に案内する筆記位置開放爪と固定カム底部に入り込んだ回転子爪に当接しかつ前進するとき該回転子爪が上記固定カム筆記位置部に係止する位置まで回転子を前進させるノックカム底部を有することを特徴とする請求項１に記載の定量繰出式筆記具。
【請求項３】
上記軸筒は軸筒下部と軸筒上部で構成され、上記中本体の後端と回転子の間にはホルダーが設けられ、該ホルダーと軸筒下部の間には中本体を後方に付勢するよう作動スプリングが設けられている請求項１に記載の定量繰出式筆記具。
【請求項４】
上記ホルダーと中本体は、中本体に過大な筆圧が作用したとき、該中本体が微移動できるよう移動可能に連結され、かつ該中本体とホルダー間には中本体が緩徐に移動するようクッションスプリングが設けられている請求項３に記載の定量繰出式筆記具。
【請求項５】
上記クッションスプリングのばね圧は、作動スプリングよりも大きい請求項４に記載の定量繰出式筆記具。
【請求項６】
上記中本体には抜け止め片が形成され、上記ホルダーには該抜け止め片がホルダーの軸方向に遊動可能に係合する抜け止め窓が形成されている請求項３〜５のいずれかに記載の定量繰出式筆記具。
【請求項７】
上記制御筒は、軸筒から突出するテーパー部を先端に有する外テーパーであり、上記シャッターは、へ字状に形成した一対の先端アームを有し、該先端アームには後退したとき外テーパーの内面に入り込む摺接部が形成されている請求項１に記載の定量繰出式筆記具。
【請求項８】
上記制御筒は、軸筒から突出するテーパー部を有しない先端筒であり、上記シャッターは後退したときテーパー状の先端部を形成するよう相補的に形成された先端アームを有し、該先端アームには上記先端筒の開口端に当たって該先端アームを収束するよう摺接部が設けられている請求項１に記載の定量繰出式筆記具。
【請求項９】
上記シャッターには中本体が後退するとき後退の途中で該中本体の係合部に係合する係止片と、中本体が前進するとき内テーパーに当接する作用片が設けられている請求項１に記載の定量繰出式筆記具。
【請求項１０】
上記係止片及び作用片は、半径方向に弾性的にたわむようシャッターにスリットを設けて一体的に形成されている請求項９に記載の定量繰出式筆記具。
【請求項１１】
上記係止片及び作用片は、板状本体の一端に傾斜突起を形成し、他端に側方に延びる支持突起を形成して構成され、上記シャッターに板状本体部分を収納する開口と、上記支持突起を回動可能に嵌着する受溝を設け、上記係止片及び作用片を揺動可能に組み込んだ請求項９に記載の定量繰出式筆記具。
【発明の詳細な説明】
【技術分野】
【０００１】
本発明は、ノック式筆記具に関し、特にノックした際に芯を定量繰り出すことができるようにした定量繰出式筆記具に関するものである。
【背景技術】
【０００２】
一般的に、ノック式筆記具はノック操作により芯が次々と繰り出され、筆記に必要な長さ以上の芯が繰り出されると、芯折れしやすくなるので、再度ノック操作しながら押し戻さなければならない。そこで、一回のノック操作で所定の長さの芯が繰り出され、その後何度繰り返しても一定の長さ以上に芯が繰り出されないようにした筆記具が提案されている(例えば特許文献１〜３参照)。これら特許文献に記載されている繰出構造は、いずれも芯の把持が開放されたとき、芯の自重によりストッパーに当たる位置まで芯が落下する構成である。そのため、筆記具が水平に保持されていたり、逆さの向きになっているときには、芯が出なかったり、芯の繰出長さが変化してしまうおそれがあり、満足できるものではない。
【先行技術文献】
【特許文献】
【０００３】
【特許文献１】実開昭５５−９９８８７号公報（実用新案請求の範囲、第３図）
【特許文献２】特許第４３８２３６６号公報（特許請求の範囲、段落００３１、図１４、図１５）
【特許文献３】特開２００６−４４２５５号公報（特許請求の範囲、段落００４９、図８）
【発明の概要】
【発明が解決しようとする課題】
【０００４】
本発明の解決課題は、筆記具の向きや角度によらず、何度ノックしても、常に一定長さの芯を繰り出し、定量以上に芯が繰り出されないようにした定量繰出式筆記具を提供することである。
【課題を解決するための手段】
【０００５】
本発明によれば、
先端に制御筒を有する軸筒と、
軸筒内に前進、後退可能に設けられ後方に付勢された中本体と、
後方に付勢された状態で中本体内に設けられ先端にチャック及び該チャックを開閉するクラッチを有する芯タンクと、
中本体の前端に設けられ芯を仮保持するブレーカー及び後退したとき上記クラッチに当接する段部を有する内テーパーと、
上記制御筒内に前進、後退可能に設けられ、後退した際閉鎖するよう開閉可能な障壁部を先端に有するシャッターと、
上記中本体を前進、後退させるカム機構を具備し、
上記カム機構は芯タンクが中本体とともに後退するとき所定位置で芯タンクの移動を阻止するよう芯タンクが当接する後退阻止部を有し、
上記中本体には内テーパーの先端が制御筒内に後退したとき上記シャッターを後退させるようシャッターに係合する係合部が形成され、
上記シャッターの障壁部が閉鎖した後、内テーパー及び中本体が移動することにより該障壁部にあたるまで芯を繰り出し、中本体が前進するときシャッターを前進して障壁部を開放し芯の先端を制御筒から突出させるようにしたことを特徴とする定量繰出式筆記具が提供され、上記課題が解決される。
【０００６】
また、本発明によれば、上記カム機構は、軸筒内に設けられた固定カムと、該固定カム内に挿入され回転不能状態で前進、後退可能なノックカムと、上記中本体に連絡し外周に回転子爪を有する回転可能な回転子を具備し、上記固定カムは回転子を前進位置に保持するよう該回転子爪が係止する固定カム筆記位置部を前端に有しかつ回転子が後退するとき上記回転子爪が入り込む長溝と該長溝の底部に形成された固定カム底部を有し、上記ノックカムは前進するとき上記固定カム筆記位置部に係止された回転子爪に当接して該回転子爪を固定カム筆記位置部から固定カムの長溝内に案内する筆記位置開放爪と固定カム底部に入り込んだ回転子爪に当接しかつ前進するとき該回転子爪が上記固定カム筆記位置部に係止する位置まで回転子を前進させるノックカム底部を有することを特徴とする上記定量繰出式筆記具が提供される。
【０００７】
さらに、上記中本体の後端と回転子の間にはホルダーが設けられ、該ホルダーと中本体は、中本体に過大な筆圧が作用したとき、該中本体が微移動できるよう移動可能に連結され、かつ該中本体とホルダー間には中本体が緩徐に移動するようクッションスプリングが設けられている上記定量繰出式筆記具が提供される。
【発明の効果】
【０００８】
本発明は上記のように構成され、本発明の定量繰出式筆記具は、先端に制御筒を有する軸筒と、軸筒内に前進、後退可能に設けられ後方に付勢された中本体と、後方に付勢された状態で中本体内に設けられ先端にチャック及び該チャックを開閉するクラッチを有する芯タンクと、中本体の前端に設けられ芯を仮保持するブレーカー及び後退したとき上記クラッチに当接する段部を有する内テーパーと、上記制御筒内に前進、後退可能に設けられ、後退した際閉鎖するよう開閉可能な障壁部を有するシャッターと、上記中本体を前進、後退させるカム機構を具備する。そして、上記カム機構は芯タンクが中本体とともに後退するとき所定位置で芯タンクの移動を阻止するよう芯タンクが当接する後退阻止部を有し、上記中本体には内テーパーの先端が制御筒内に後退したとき上記シャッターを後退させるようシャッターに係合する係合部が形成され、上記シャッターの障壁部が閉鎖した後さらに内テーパー及び中本体が移動することにより該障壁部にあたるまで芯を繰り出し、中本体が前進するときシャッターを前進して障壁部を開放し芯の先端を制御筒から突出させるようにしたので、通常の筆記状態からカム機構により中本体を後退させると、後退の途中で中本体に保持されている芯タンクの移動が阻止され、チャックおよびクラッチは中本体の前端から抜け出し、中本体とともに後退し続けている内テーパーの段部がクラッチに当たりチャックは開放される。この間の移動は相対的に見てチャックが前進したことと同様の作用である。上記中本体が後退すると係合部を介してシャッターが後退し、障壁部が閉鎖されるので、上記芯はシャッターの障壁部にあたる位置まで繰り出されるが、それ以上の長さ繰り出されることはない。上記カム機構により中本体が前進すると、前進の途中でチャックおよびクラッチは中本体の前端内に入り込み、芯を把持する。さらに、中本体は前進し、シャッターも前進して障壁部は開放され、芯の先端は制御筒から突出する。このようにして、チャックで把持した状態で一定長の芯を繰り出すことができるから、筆記具の先端を上向きにしたり、傾けたりしていても、筆記具の向きや角度によらず、常に定量の芯を繰り出すことができる。
【０００９】
また、上記カム機構として、軸筒内に設けられた固定カムと、該固定カム内に挿入され回転不能状態で前進、後退可能なノックカムと、上記中本体に連絡し外周に回転子爪を有し回転可能な回転子を設け、上記固定カムの前端に回転子を前進位置に保持するよう該回転子爪が係止する固定カム筆記位置部を形成し、かつ回転子が後退するとき上記回転子爪が入り込む長溝と固定カム底部を該長溝の底部に形成する。また上記ノックカムに、前進するとき上記固定カム筆記位置部に係止された回転子爪に当接して該回転子爪を固定カム筆記位置部から固定カムの長溝内に案内する筆記位置開放爪と固定カム底部に入り込んだ回転子爪に当接しかつ前進するとき該回転子爪が上記固定カム筆記位置部に係止する位置まで回転子を前進させるノックカム底部を設ける。このように構成すると、筆記状態でノックカムをノックすると、回転子爪は固定カム筆記位置部から離脱して長溝内に入り込み、中本体を後退させることができ、さらにノックカムが前進するとノックカム底部により回転子爪を固定カム筆記位置部に係止する位置まで中本体を前進させ、芯を繰り出すことができる。このように、一度のノック操作で中本体を後退させた後、前進させることができるので、操作がきわめて簡単である。また、筆記状態でノックカムを少しだけノックすると、固定カム筆記位置部に係止された回転子爪が該固定カム筆記位置部から外れ、長溝に入り込むので、中本体が後退して芯の先端を制御筒内に収納することができ、不使用時や持ち運びに不都合を生じるおそれはない。
【００１０】
上記中本体の後端と回転子の間にホルダーを設け、該ホルダーと中本体を、該中本体に過大な筆圧が作用したとき、該中本体が微移動できるよう移動可能に連結し、かつ該中本体とホルダー間に中本体が緩徐に移動するようクッションスプリングを設けると、クッション機能により芯折れを防止することができる。
【図面の簡単な説明】
【００１１】
【図１】本発明の一実施例を示す断面図。
【図２】軸筒下部の断面図。
【図３】軸筒上部の断面図。
【図４】制御筒の一実施例である外テーパーを示し、（Ａ）は断面図、（Ｂ）は平面図、(Ｃ)は左側面図。
【図５】中本体を示し、（Ａ）は平面図、（Ｂ）は正面図、(Ｃ)は断面図。
【図６】ホルダーを示し、（Ａ）は平面図、（Ｂ）は断面図、(Ｃ)は左側面図。
【図７】芯タンクを示し、（Ａ）は平面図、（Ｂ）は断面図。
【図８】チャックガイドを示し、（Ａ）は平面図、(Ｂ)は断面図。
【図９】内テーパーを示し、（Ａ）は平面図、（Ｂ）は断面図。
【図１０】シャッターの一実施例を示し、(Ａ)は正面図、(Ｂ)は平面図、(Ｃ)は左側面図。
【図１１】ノックカムを示し、(Ａ)は正面図、(Ｂ)は断面図、(Ｃ)は左側面図。
【図１２】回転子を示し、（Ａ）は平面図、（Ｂ）は断面図。
【図１３】消しゴムホルダーを示し、（Ａ）は平面図、（Ｂ）は断面図。
【図１４】ノックキャップを示し、（Ａ）は平面図、（Ｂ）は断面図。
【図１５】カムを示し、（Ａ）は固定カムの展開図、（Ｂ）はノックカムの展開図。
【図１６】筆記状態のカムの展開図。
【図１７】中本体等が後退した状態のカムの展開図。
【図１８】ノック操作により中本体等が後退し始めた状態の一部の拡大断面図。
【図１９】芯タンクの後端がノックカムに接触した状態の一部の拡大断面図。
【図２０】シャッターが閉じた状態の一部の拡大断面図。
【図２１】図１７に示す状態から回転子がノックカムにより前進した状態のカムの展開図。
【図２２】中本体が前進することによりシャッターに芯の先端が当接した状態の一部の拡大断面図。
【図２３】図２２に示す状態からさらに中本体が前進することによりシャッターが開放された状態の一部の拡大断面図。
【図２４】図２３に示す状態からさらに中本体が前進することにより芯の先端が外テーパーから突出した状態の一部の拡大断面図。
【図２５】制御筒の他の実施例である先端筒を示し、（Ａ）は平面図、（Ｂ）は断面図、(Ｃ)は左側面図。
【図２６】シャッターの他の実施例を示し、(Ａ)は正面図、(Ｂ)は左側面図。
【図２７】シャッターに設けられる作用片、係止片の他の実施例を示し、(Ａ)は拡大正面図、(Ｂ)は拡大平面図。
【図２８】図２６に示すシャッターに作用片、係止片を組み込んだ状態を示す正面図。
【図２９】筆記状態の一部の拡大断面図。
【図３０】シャッターが閉じた状態の拡大断面図。
【図３１】中本体が前進して芯の先端がシャッターから突出した状態の拡大断面図。
【発明を実施するための形態】
【００１２】
図１は本発明の一実施例を示し、本発明の定量繰出式筆記具は、軸筒１の先端には、筒状の制御筒が設けられている。この制御筒は、軸筒と一体的に形成することもできるが、図１〜図２３に示す実施例では、軸筒から突出するテーパー部を先端に有する外テーパー２で構成されている。上記軸筒１内には、軸筒内で前進、後退可能に設けられ後方に付勢された中本体３と、後方に付勢された状態で中本体内に設けられ先端にチャック４及び該チャックを開閉するクラッチ５を有する芯タンク６と、中本体の前端に設けられ芯を仮保持するブレーカー７及び後退したとき上記クラッチ５に当接する段部８を有する内テーパー９と、上記外テーパー内に前進、後退可能に設けられ、後退した際閉鎖するよう開閉可能な障壁部１０を先端に有するシャッター１１と、上記中本体を前進、後退させるカム機構が設けられている。なお、本発明において、図１の左方側を前方とし、右方を後方とする。
【００１３】
上記軸筒１は、図２、図３に示すように、外テーパー２をねじ着する雌ねじ部１２を内面に形成し後方が小径部に形成された軸筒下部１３と、該軸筒下部の小径部に挿入して連結される軸筒上部１４を有する。上記小径部の外周と軸筒上部の連結部には適宜の抜け止め用の係合凹凸部が形成されている。上記軸筒上部の外面には、クリップ１５が設けられ、内面に形成した内方段部１６の前方にはカム機構を構成する固定カム１７が設けられている。
【００１４】
上記外テーパー２は、図４に示すように、上記軸筒下部１３に挿入され上記雌ねじ部１２にねじ着される雄ねじ部１８を形成した筒状部１９と、該筒状部１９から前方にのびるテーパー部２０を有する。テーパー部２０の先端には芯２１を挿通させる芯挿通口２２が形成され、テーパー部２０の一部には窓部２３が設けられ、かつ筒状部１９の内面にわたって案内溝２４が形成され、案内溝２４の後端側には傾斜面２５が設けられている。
【００１５】
上記中本体３は、図５に示すように、前方に内テーパー９をねじ着する雄ねじ部２６を有し、外周に係合部２７と中間凸部２８を突設し、中間凸部２８の後方にはスリット２９を設けて弾性的な抜け止め片３０を形成し、該抜け止め片の前方端には傾斜突起３１が設けられている。該中本体の前端開口部３２には、上記クラッチ６のフランジ部が当接し、これにより上記チャック４を締着して芯を把持する。
【００１６】
上記中本体３の後部にはホルダー３３が連結されている。図６に示すように、該ホルダー３３には、前端にガイド溝３４が形成され、該ガイド溝３４に続いて上記中本体３の抜け止め片３０に形成した上記傾斜突起３１が挿入される抜け止め窓３５が設けられている。ホルダー３３の後端にはフランジ３６が設けられ、内面には軸方向に延びるリブ３７が形成されている。なお、該フランジの後面には、後記する回転子５７が容易に回転するよう隆起部を設けてある。ホルダーには上記中本体３の後部が挿入され、該ホルダー３３と中本体３は、中本体の後端がリブ３７に当たる位置まで軸方向に微小量移動(遊動)可能である。ホルダー３３の上記フランジ３６と軸筒下部１３の後端の間にはホルダー３３を介して中本体３を後方に付勢するよう作動スプリング３８が設けられている。また、ホルダー３３と中本体３の中間凸起２８の間には、上記作動スプリング３８よりも強いばね圧のクッションスプリング３９を設けてあり、該中本体３に過大な筆圧が作用したとき、該中本体３が緩徐に移動するようして芯折れしないようにしてある。
【００１７】
上記芯タンク６は、図７に示すように、上記中本体３内で摺動できる外径に形成され、前端にチャックガイド４０(図８参照)を固着し、該チャックガイド４０に、外周にクラッチ５を嵌着し弾性的に拡開可能な二つ割若しくは三つ割のチャック４を固着している。そして、チャックガイド４０の前端と中本体３の前端開口部３２の内方に形成した内段部間にチャックスプリング４１を装着し、芯タンク６を後方に付勢し、クラッチのフランジ部を中本体の先端に当接させてチャックを閉じるようにしている。
【００１８】
上記内テーパー９は、図９に示すように、径大部の内面に、上記中本体の雄ねじ部２６にねじ着される雌ねじ部４２と、上記クラッチのフランジ部に当接可能な段部８が形成され、前方には芯２１を摩擦的に仮保持するよう弾性材料で形成されたブレーカー７を有し、芯２１が挿通する芯保護パイプ４３が先端に設けられている。
なお、上記各部材において、雄ねじと雌ねじによるねじ着構造の箇所は、所望によりねじ構造に代えて適宜の凹凸係合部による係合構造にすることができる。
【００１９】
上記シャッター１１は、図１０に示すように、上記外テーパー２内に挿入される筒状部４４と、該筒状部４４の後端に形成され上記外テーパー２の後端部に当接可能なフランジ４５を有する。上記筒状部４４の前方には一対の支持基片４６が形成され、該支持基片４６の前方には、弾性的に開閉可能で略へ字状に延びる先端アーム４７が設けられ、該先端アーム４７の先端には、障壁部１０が対向状態に設けられている。上記先端アーム４７の外面には、シャッター１１が前進するとき、上記外テーパー２の上記窓部２３に入り込んで先端アームを拡開状態に維持し、かつシャッター１１が後退するとき、先端アームを収束させることができるよう外テーパー２の内に入り込んで内面に摺接可能な摺接部４８が形成され、該摺接部４８は強度を増すよう肉厚に設けられている。該支持基片４６にはスリット４９を形成して半径方向に弾性的にたわむよう作用片５０を設けてあり、該作用片５０の後端には上記案内溝２４に挿入可能な傾斜突起５１が設けられている。また、上記筒状部４４にはスリット５２を介して該筒状部４４の半径方向に弾性的にたわむよう係止片５３を設けてあり、該係止片５３の先端にはシャッター１１を外テーパー２に装着した際、外テーパー２の筒状部１９の内面に当たって該係止片５３を半径方向に押し込むよう傾斜突起５４を設けてある。該シャッター１１が後方に移動するとき、作用片５０に形成した傾斜突起５１が案内溝２４の後端に設けた傾斜面２５に案内されて移動し、上記先端アーム４７の摺接部４８は外テーパー２の筒状部１９の内面に摺接するから、上記障壁部１０は半径方向に押し下げられ、それにより対向する障壁部１０が合致して先端を閉鎖する。一方、シャッター１１が後退位置から前進すると、上記摺接部４８は筒状部１９から脱出して外テーパー２の窓部２３に入り込み、シャッター１１の先端アーム４７は弾性作用で復元し、障壁部１０は離反して先端は開放される。
【００２０】
上記中本体３等を前進、後退させるカム機構は、図に示す実施例では、軸筒内に設けられた上記固定カム１７と、該固定カム１７内に挿入され回転不能状態で前進、後退可能なノックカム５５と、上記中本体３に連絡し外周に回転子爪５６を有し回転可能な回転子５７を具備する。
【００２１】
図３、図１５Ａに示すように、上記固定カム１７は、回転子５７を前進位置に保持するよう該回転子爪５６を係止する固定カム筆記位置部５８を前端に有し、かつ回転子５７が後退するとき上記回転子爪５６が入り込む長溝５９と、該長溝５９の底部に形成された固定カム底部６０を有する。上記固定カム１７の前端は、上記固定カム筆記位置部５８から回転子爪５６が離脱したとき回転子爪５６を上記長溝５９に案内するよう傾斜している。上記固定カム底部は、回転子の回転方向に傾斜している。また上記ノックカム５５に形成した回転止めリブ６１を軸方向に移動可能に挿入しノックカムを回転不能にするための回転止め溝６２が形成されている。
【００２２】
図１１を参照し、上記ノックカム５５は、芯タンク６及び回転子５７の筒状部７０を収納する内径の筒状爪部６３と、芯タンク６の後退動を阻止するよう筒状爪部６３の底部に形成された後退阻止部６４と、筒状爪部６３より小径で後方に延びる軸部６５を有する。上記筒状爪部６３には、図１１、図１５Ｂに示すように、前進するとき上記固定カム筆記位置部５８に係止されている回転子爪５６に当接して該回転子爪５６を固定カム筆記位置部５８から離脱し固定カム１７の長溝５９内に案内するよう傾斜する筆記位置開放爪部６６が先端に形成され、該固定カム筆記位置部５８から外れた回転子爪５６が入り込む長溝６７と、上記固定カム底部６０に入り込んだ回転子爪５６に当接しかつ前進するとき該回転子爪５６が上記固定カム筆記位置部５８に係止する位置まで回転子５７を前進させるよう傾斜するノックカム底部６８が設けられている。
【００２３】
回転子５７は、図１２に示すように、前端に上記ホルダー３３の後端のフランジ３６の後面に当接するフランジ６９を有し、該フランジ６９から後方に芯タンク６を挿通させるよう軸方向に延びる筒状部７０が形成され、該筒状部７０の外周に回転子爪５６を設け、回転子爪５６の後端部には回転子を一定方向に回転するよう傾斜面を形成してある。上記ノックカム５５の軸部６５には、図１３に示す消しゴムホルダー７１が脱落しないように装着され、該消しゴムホルダー７１には、消しゴム７２及びノックキャップ７３が嵌着される。該消しゴムホルダー７１のフランジ７４と軸筒上部１４の内方段部１６の間には、ノックカム５５を後方に付勢するリターンスプリング７５が設けられている。また、上記ノックカム５５の後退阻止部６４と回転子５７の筒状部７０の後端間には、回転子５７が後方に移動する際の衝撃を和らげるようダンパースプリング７６が設けられている。上述の各スプリングの強さは、クッションスプリング３９が最も強く、以下クッションスプリング３９＞リターンスプリング７５＞作動スプリング３８＞チャックスプリング４１＞ダンパースプリング７６の順にばね圧が弱くなるよう設定してある。
【００２４】
本発明の筆記具の使用態様を説明すると、図１に示すように芯２１の先端が外テーパー２から突出している筆記状態では、シャッター１１、内テーパー９、中本体３等は、回転子爪５６が固定カム筆記位置部５８に係合した前進位置にあり(図１６参照)、芯２１はチャック４により把持され、筆圧は中本体３、ホルダー３３、回転子５７を介し固定カム１７を形成した軸筒１で支持され、筆記することができる。
【００２５】
この状態からノックキャップ７３を押してノックカム５５を前進させると、図１７に示すように、回転子爪５６はノックカム５５の先端に形成した筆記位置開放爪部６６に押されて固定カム筆記位置部５８から外れ、長溝５９、６７に入り込み、回転子５７を介しホルダー３３、中本体３、芯タンク６、内テーパー９等は、作動スプリング３８により後退を始める。この後退動の途中で、図１８に示すように中本体３の係合部２７がシャッター１１の係止片５３に当たり、シャッター１１も後退を始める。後退の途中でシャッター１１の作用片５０は外テーパー２の筒状部１９の内面に入り込み、さらに芯タンク６の後端がノックカム５５の後退阻止部６４にぶつかり、芯タンク６はその位置に停止する。このとき、図１９に示すように、回転子５７と後退阻止部６４間にダンパースプリング７６を設けておくと、衝撃が和らげられる。
【００２６】
上記芯タンク６の後退が停止したのちも、上記内テーパー９、中本体３、ホルダー３３、回転子５７は作動スプリング３８の作用で後退し続けるから、上記シャッター１１等が後退すると、該シャッター１１の摺接部４８が外テーパー２の筒状部１９の内面に入り込み、シャッター１１の先端アーム４７は内方に押されて収束し、先端に形成した障壁部１０は、図２０に示すように閉鎖される。また、中本体３が後退することにより、中本体の前端開口部で締着されているチャック４及びクラッチ５は、図２０に示すように、芯を把持した状態で、相対的に、中本体３の前端開口部３２から抜け出すことになり、後退しつつある内テーパー９の段部８がクラッチ５にあたるまで、芯を送り出す。このときの送り出し方法は、機構的に、従来のノック式シャープペンシルの芯送り機構と同様である。従来のシャープペンシルではチャック等を前進させて静止しているテーパーの段部にクラッチを当てるのに対し、実施例に示す構成では、チャックを締着している中本体及びテーパーを移動させて静止しているクラッチに当てるようにした点で相違するが、芯送りする機能は変わらない。なお、このとき上記したように、チャックスプリング４１よりも作動スプリング３８を強くしてあるので、芯を確実に送り出すことができる。この間に上記回転子爪５６は固定カム底部６０及びノックカム底部６８に達して、回転子５７等の後退動は停止する。
【００２７】
ノックカム５５はさらに前進するので、図２１に示すようにノックカム底部６８に押されて回転子５７の移動は後退から前進に転じ、中本体３、内テーパー９等を前進し始める。芯は内テーパー９のブレーカー７による摩擦力で保持されているので、図２２に示すように、芯２１の先端がシャッター１１の上記障壁部１０にあたるとそれ以上はブレーカー部分ですべりを生じて前進することはなく、一定長さが計測される。なお、このときシャッター１１の作用片５０の先端に内テーパー９の径大部の外面が当たって内テーパー９の位置が規制される(図２２)。
【００２８】
さらに中本体３、内テーパー９等が前進すると、作用片を介してシャッター１１も内テーパー９に押されて前進し、摺接部４８が外テーパー２の内面から脱出すると、先端アーム４７の一部は外テーパー２の窓部２３に入り込んで先端が広がり、障壁部１０は開放される(図２３参照)。その後、図２４に示すようにフルノック状態では、内テーパー９がさらに前進し、芯２１は外テーパー２の先端から前方に突出するが、チャックは開放状態である。ノックを停止すると、上記図１、図１６に示すように回転子５７等は少し後退し、回転子爪５６は固定カム筆記位置部５８に係合し、内テーパー９、中本体３等は筆記位置に戻り、チャック４、クラッチ５もチャックスプリング４１で後退し、芯２１を再び把持し、筆記することができる。
【００２９】
筆記時に過大な筆圧がかかると、上記クッションスプリング３９に抗して中本体３は後退し、芯折れを防止することができる。また、使用しない場合や持ち運びの際は、ノックカム５５を少しノックしてノックを止めると、回転子５７は、上記図１７に示すように後退し、シャッター１１や芯２１等を軸筒１内に収納することができる(図２０参照)。
【００３０】
上記実施例では、軸筒から突出するテーパー部を有する外テーパーを制御筒としたが、そのようなテーパー部を有しない筒状部材で制御筒を構成し、この制御筒内にシャッターを設け、このシャッターが筒状部材の先端から出没してシャッターに設けた障壁部を開閉するように構成することもできる。以下制御筒として、上記実施例の外テーパーとは異なり、テーパー部を有しない先端筒及び該先端筒から出没するシャッターを用いた実施例につき説明する。なお、該先端筒及びシャッターを除いて上記実施例と同様の部材は同じ符号を付して説明する。
【００３１】
図２５は、先端筒７７を示し、該先端筒７７は、上記軸筒下部１３に挿入される筒状部７８を有し、該筒状部７８の外周には、軸筒下部の内面に形成した上記雌ねじ部１２にねじ着される雄ねじ部７９が形成されている。該筒状部７８の雄ねじ部の前方にはフランジ８０が形成され、このフランジ８０から前方に延びる径大部８１の開口端８２は、前方に開口している。該開口端８２から筒状部７８の内面にわたっては、案内溝８３が形成されており、該案内溝８３の前端側及び後端側には傾斜面８４が設けられている。
【００３２】
シャッター８５は、図２６に示すように、上記先端筒７７内に挿入される筒状部８６と、該筒状部８６の後端に形成され上記先端筒７７の後端部に当接可能なフランジ８７を有する。上記筒状部８６の前方には長手方向に開口するスリット８８を形成することにより、弾性的に半径方向に弾性的に変位可能な複数の、図において３個の支持基片８９を形成してあり、該支持基片８９の先端側には、押圧されたとき、半径方向に先端がたわむよう先端アーム９０が一体的に設けられている。この先端アーム９０の外形状は、３個の先端アームが開放しているとき、上記スリット８８が広がり、収束したときスリット８８が閉じて相補的にテーパー状の先端部を形成するようにテーパー状の円周の一部を構成する形状に形成されている。該先端アーム９０の先端には、先端アームの先端が収束したとき、先端を閉鎖するようそれぞれ半径方向に延びる障壁部９１が設けられている。上記先端アーム９０の外面には、シャッター８５が前進するとき、上記先端筒７７の開口端８２から外れて先端アームを開放し、かつシャッター８５が後退するとき、先端筒７７の開口端８２に当たって先端アームを収束させ先端を閉鎖するよう摺接部９２が形成され、該摺接部９２は強度を増すよう肉厚に設けられている。また、上記筒状部８６の後部には、シャッター８５を先端筒７７に組み込む際、該後部を半径方向にたわませながら挿入することができるようスリット９８を設けてある。
【００３３】
上記シャッターには、上記実施例の作用片５０及び係止片５３と同様に作用片及び係止片を一体的に設けることもできるが、この実施例ではシャッターと別体に形成して組み合わせるようにした作用片及び係止片が使用されている。図２６に示すようにシャッター８５には、開口９３を形成してあり、該開口９３に挿入できるよう作用片９４を独立して形成する。該作用片９４は、図２７に示すように、上記先端筒７７の案内溝８３に挿入可能な傾斜突起９５を一端に設けた板状本体を有し、他端に、側方に延出し上記開口９３の側方に設けた受溝９６に嵌着する支持突起９７を設けた構成である。そして、板状本体部分を上記開口９３に嵌着し、支持突起９７を受溝９６に支持させることにより作用片９４を揺動可能に保持している。該筒状部８６の後部にも、開口９９及び受溝１００を形成してあり、上記作用片９４と同じ形状の係止片１０１を揺動可能に組み込んである。該係止片１０１の先端に設けた傾斜突起１０２は、シャッター８５を先端筒７７に装着した際、先端筒の筒状部７８の内面に当たって該係止片１０１を半径方向に押し込むよう作用する。該シャッター８５は、後方に移動する際、作用片９４に形成した傾斜突起９５が案内溝８３の後端に設けた傾斜面８４に案内されて移動し、上記先端アーム９０の摺接部９２は先端筒７７の開口端８２に摺接するから、先端アーム９０は収束し、上記障壁部９１は半径方向に押し下げられ、それにより対向する障壁部９１が合致して先端を閉鎖する。一方、シャッター８５が後退位置から前進すると、上記摺接部９２は開口端８２から脱出し、シャッター８５の先端アーム９０は弾性作用で復元し、障壁部９１は離反して先端は開放される。
【００３４】
上記の構成により、筆記状態では、図２９に示すように、シャッター８５は開放されているので、芯２１はシャッター８５から前方に突出しており、筆記することができる。この状態は上記実施例の図１に示す状態と似ている。また、図３０に示すように、中本体３等が後退すると、上記図２０とほぼ同様の作用により上記シャッター８５も後退し、シャッター８５の摺接部９２が先端筒７７の開口端８２に当たって先端アーム９０が収束し、該先端アーム９０に設けた障壁部９１は閉塞される。したがって、図３０に示す状態からノック操作により中本体３を前進させると、上記図２２に示す状態と同じように、閉鎖位置にある障壁部９１に当たる位置まで芯２１を定量送り出すことができる。さらに、ノック操作を続けると、中本体３がさらに前進し、シャッター８５も前進して摺接部９２が開口端８２から外れ、障壁部９１が開放されるので、芯の先端がシャッター８５から突出する(図３１参照)。そして、ノック操作を止めると中本体３や内テーパー９が後退し、図２９の状態に戻ってチャック４が芯２１を把持し、筆記することができる。
【符号の説明】
【００３５】
１    軸筒
２    外テーパー
３    中本体
６    芯タンク
９    内テーパー
１０  障壁部
１１  シャッター
１３  軸筒下部
１４  軸筒上部
１７  固定カム
３３  ホルダー
３８  作動スプリング
３９  クッションスプリング
４１  チャックスプリング
４７  先端アーム
４８  摺接部
５５  ノックカム
５６  回転子爪
５７  回転子
５８  固定カム筆記位置部
６０  固定カム底部
６４  後退阻止部
６６  筆記位置開放爪部
６８  ノックカム底部
７５  リターンスプリング
７６  ダンパースプリング
７７  先端筒
８５  シャッター
９０  先端アーム
９１  障壁部
【図１】
0006457893.tif 000002
【図２】
0006457893.tif 000003
【図３】
0006457893.tif 000004
【図４】
0006457893.tif 000005
【図５】
0006457893.tif 000006
【図６】
0006457893.tif 000007
【図７】
0006457893.tif 000008
【図８】
0006457893.tif 000009
【図９】
0006457893.tif 000010
【図１０】
0006457893.tif 000011
【図１１】
0006457893.tif 000012
【図１２】
0006457893.tif 000013
【図１３】
0006457893.tif 000014
【図１４】
0006457893.tif 000015
【図１５】
0006457893.tif 000016
【図１６】
0006457893.tif 000017
【図１７】
0006457893.tif 000018
【図１８】
0006457893.tif 000019
【図１９】
0006457893.tif 000020
【図２０】
0006457893.tif 000021
【図２１】
0006457893.tif 000022
【図２２】
0006457893.tif 000023
【図２３】
0006457893.tif 000024
【図２４】
0006457893.tif 000025
【図２５】
0006457893.tif 000026
【図２６】
0006457893.tif 000027
【図２７】
0006457893.tif 000028
【図２８】
0006457893.tif 000029
【図２９】
0006457893.tif 000030
【図３０】
0006457893.tif 000031
【図３１】
0006457893.tif 000032